(57)【要約】      （修正有）【課題】キャップの下端部のストッパーリングへカシメた係止部を元の状態へ戻しても、キャップを容器本体の口部より取り外すことができないとともに、不正に開封しようとするとキャップの外周壁の元の形状よりも外方へ突出するような変形をさせなければ不可能な不正開封防止容器を提供する。【解決手段】容器本体５と、この容器本体の口部２のねじ部３と螺合するねじ部７が形成されたキャップ本体８、このキャップ本体の下端部にストッパーリング４の下端部と係止するようにカシメられた係止部９、この係止部とキャップ本体のねじ部の下端部との間に形成された開封時の切断用のブリッチ１０とからなるキャップ１２とからなる容器において、ストッパーリングにリング状の凹部６を形成するとともに、該リング状の凹部と対応するキャップ本体の外周部位にリング状の凹部へ入り込むリング状の溝１３とで不正開封防止容器を構成している。【選択図】図２
2010018329.tif 000002
【特許請求の範囲】
【請求項１】
口部の外周部にねじ部および、このねじ部の下部にキャップの下端部をカシメ固定するためのストッパーリングが形成された容器本体と、この容器本体の口部のねじ部と螺合するねじ部が形成されたキャップ本体、このキャップ本体の下端部に前記ストッパーリングの下端部と係止するようにカシメられた係止部、この係止部と前記キャップ本体のねじ部の下端部との間に形成された開封時の切断用のブリッチとからなるキャップとからなる不正開封防止容器において、前記容器本体のストッパーリングにリング状の凹部を形成するとともに、該リング状の凹部と対応するキャップ本体の外周部位にリング状の凹部へ入り込むリング状の溝を形成したことを特徴とする不正開封防止容器。
【請求項２】
リング状の凹部とリング状の溝は切断用のブリッチの下部位置に形成されていることを特徴とする請求項１記載の不正開封防止容器。
【請求項３】
リング状の凹部とリング状の溝は切断用のブリッチが形成されている部位に形成されていることを特徴とする請求項１記載の不正開封防止容器。
【発明の詳細な説明】
【技術分野】
【０００１】
本発明は清涼飲料水、栄養補給ドリンク等が収納される不正開封防止容器に関する。
【背景技術】
【０００２】
従来の不正開封防止容器は口部の外周部の下部にキャップの下端部をカシメ固定するためのストッパーリングを形成した容器本体に、開封時の切断ブリッチが設けられたキャップとで構成されている。
【０００３】
このため、開封時には容器本体とキャップとを持って回転させると、キャップの切断ブリッチが切断され、該切断ブリッチより上部のキャップ部材が外れ、ストッパーリングにカシメられた部材が残って開封される。
しかしながら、ストッパーリングにカシメられたキャップの下端部を、キャップの外周壁と同じ筒状となるようにフック金具を用いてこじ開けると、切断ブリッチが切断することなく、不正開封することができるという欠点があった。
【特許文献１】特になし
【発明の開示】
【発明が解決しようとする課題】
【０００４】
本発明は以上のような従来の欠点に鑑み、キャップの下端部のストッパーリングへカシメた係止部を元の状態へ戻しても、キャップを容器本体の口部より取り外すことができないとともに、不正に開封しようとするとキャップの外周壁の元の形状よりも外方へ突出するような変形をさせなければ不可能な、完全に不正開封を防止することができる不正開封防止容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は口部の外周部にねじ部および、このねじ部の下部にキャップの下端部をカシメ固定するためのストッパーリングが形成された容器本体と、この容器本体の口部のねじ部と螺合するねじ部が形成されたキャップ本体、このキャップ本体の下端部に前記ストッパーリングの下端部と係止するようにカシメられた係止部、この係止部と前記キャップ本体のねじ部の下端部との間に形成された開封時の切断用のブリッチとからなるキャップとからなる不正開封防止容器において、前記容器本体のストッパーリングにリング状の凹部を形成するとともに、該リング状の凹部と対応するキャップ本体の外周部位にリング状の凹部へ入り込むリング状の溝とで不正開封防止容器を構成している。
【発明の効果】
【０００７】
以上の説明から明らかなように、本発明にあっては次に列挙する効果が得られる。
【０００８】
（１）口部の外周部にねじ部および、このねじ部の下部にキャップの下端部をカシメ固定するためのストッパーリングが形成された容器本体と、この容器本体の口部のねじ部と螺合するねじ部が形成されたキャップ本体、このキャップ本体の下端部に前記ストッパーリングの下端部と係止するようにカシメられた係止部、この係止部と前記キャップ本体のねじ部の下端部との間に形成された開封時の切断用のブリッチとからなるキャップとからなる不正開封防止容器において、前記容器本体のストッパーリングにリング状の凹部を形成するとともに、該リング状の凹部と対応するキャップ本体の外周部位にリング状の凹部へ入り込むリング状の溝とで構成されているので、キャップ本体の下端部のストッパーリングの下端部と係止するようにカシメられている部位を、カシメる前の状態に戻しても、容器本体のリング状の凹部に入り込むように形成されたリング状の溝によって、キャップを取り外すことができない。
したがって、不正開封を確実に防止することができる。
【０００９】
（２）前記（１）によって、容器本体のリング状の凹部に入り込んでいるリング状の溝を元の状態に戻そうとすると、ストッパーリングとキャップ本体との間に工具を差し込まなければならず、キャップ本体が元の状態より外方へ突出する変形となるため、不正開封したと思われるような変形となり、不正開封を防止することができる。
【００１０】
（３）前記（１）によって、容器本体のストッパーリングにリング状の凹部を形成するとともに、該部位のキャップ本体の周壁にリング状の溝を形成するだけでよいので、容易に実施することができる。
【００１１】
（４）請求項２も前記（１）〜（３）と同様な効果が得られる。
【００１２】
（５）請求項３も前記（１）〜（３）と同様な効果が得られるとともに、リング状の溝に切断用のブリッチが位置しているため、該リング状の溝部を不正に開封するための作業時に切断されやすく、より確実に不正開封を防止することができる。
【発明を実施するための最良の形態】
【００１３】
以下、図面に示す本発明を実施するための最良の形態により、本発明を詳細に説明する。
【００１４】
図１ないし図５に示す本発明を実施するための最良の第１の形態において、１は本発明の不正開封防止容器で、この不正開封防止容器１は口部２の外周部にねじ部３、このねじ部３の下部にキャップの下端部をカシメ固定するためのストッパーリング４が形成された清涼飲料水、栄養補給ドリンク等が収納されるガラスや瀬戸物製の容器本体５と、この容器本体５のストッパーリング４に形成された断面三角形状のリング状の凹部６と、前記容器本体５の口部２を覆う前記ねじ部３と螺合するねじ部７が形成された金属材製のキャップ本体８、このキャップ本体８の下端部に前記ストッパーリング４の下端部と係止するようにカシメられた係止部９、この係止部９と前記キャップ本体８のねじ部７の下端部との間で、前記リング状の凹部６の上部位置に形成された開封時の切断用のブリッチ１０、前記キャップ本体８の天板８ａ部位の内壁面に設けられたパッキング１１とからなるキャップ１２と、前記容器本体５のストッパーリング４に形成されたリング状の凹部６と対応する部位の前記キャップ本体８の外周部位に形成された、該リング状の凹部６内へ入り込むリング状の溝１３とで構成されている。  
【００１５】
上記構成の不正開封防止容器１は容器本体５の口部２をキャップ本体８で密封した後、キャップ本体８をカシメて係止部９とリング状の溝１３を形成して、不正開封できないようにされている。
このため、開封は従来と同様に容器本体５とキャップ１２とを持って回転させることにより、切断用のブリッチ１０が切断して、該切断用のブリッチ１０より上部のキャップ部材１２ａを口部２より外すことができ、従来と同様に使用できる。
この時、切断用のブリッチ１０より下部位置のキャップ部材１２ｂは口部２に残っていたり、切断用ブリッチ１０より下部位置のキャップ部材１２ｂに切断縦溝１４を形成しておくことにより、上部キャップ部材１２ａと一体にして取り外すことができる。
【００１６】
不正開封の痕跡のない状態でキャップ１２を外そうとした場合、まずキャップ本体８の下部の係止部９をフック金具等で曲げて、キャップ本体８の外周壁と同じ筒状にすることが可能であるが、この係止部９を外したところで、キャップ１２を容器本体５から外すことができない。  
このため、キャップ本体８の下端部より金具等を挿入して、リング状の凹部６内に入り込んでいるリング状の溝１３をキャップ本体８の外周壁と同じ状態に戻さなければならないが、この時、キャップ本体８を金具等の挿入で、外方へ突出する変形が生じて不正開封の痕跡が残る。
このため、不正開封を確実に防止することができる。
[発明を実施するための異なる形態]
【００１７】
次に、図６ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図６ないし図８に示す本発明を実施するための第２の形態において、前記本発明を実施するための最良の第１の形態と主に異なる点は、ストッパーリング４に半円弧形状のリング状の凹部６Ａを形成した容器本体５Ａと、この容器本体５Ａ  のリング状の凹部６Ａ内へ入り込むリング状の溝１３Ａをキャップ本体８に形成したキャップ１２Ａを用いた点で、このような容器本体５Ａとキャップ１２Ａとを用いて構成した不正開封防止容器１Ａにしても、前記本発明を実施するための最良の第１の形態と同様な作用効果が得られる。
【００１９】
図９ないし図１１に示す本発明を実施するための第３の形態において、前記本発明を実施するための最良の第１の形態と主に異なる点は、ストッパーリング４のほぼ中央部にリング状の凹部６を形成した容器本体５Ｂを用いるとともに、キャップ本体８に形成する前記リング状の凹部６内へ入り込むリング状の溝１３部分に切断用のブリッチ１０を形成したキャップ１２Ｂを用いた点で、このような容器本体５Ｂとキャップ１２Ｂを用いて構成した不正開封防止容器１Ｂにしても
前記本発明を実施するための最良の第１の形態と同様な作用効果が得られる。
なお、切断用のブリッチ１０はリング状の溝１３を形成するときには切断することなく、開封時には容易に切断して、取り外せる形状が選択される。
【００２０】
図１２ないし図１４に示す本発明を実施するための第４の形態において、前記本発明を実施するための最良の第１の形態と主に異なる点は、ストッパーリング４に半円弧形状のリング状の凹部６Ａと三角形状のリング状の凹部６とを形成した容器本体５Ｃと、キャップ本体８に半円弧形状の凹部６Ａに入り込む切断用のブリッチ１０が形成されたリング状の溝１３Ａおよび三角形状のリング状の凹部６に入り込むリング状の溝１３を形成したキャップ１２Ｃを用いた点で、このような容器本体５Ｃとキャップ１２Ｃを用いて構成した不正開封防止容器１Ｃにしても、前記本発明を実施するための最良の第１の形態と同様な作用効果が得られる。
なお、ストッパーリング４の上部に半円弧形状のリング状の凹部６Ａと、下部に三角形状のリング状の凹部６を形成したが、本発明はこれに限らず、上部に三角形状のリング状の凹部６を形成し、下部に半円弧形状のリング状の凹部６Ａを形成してもよく、両方半円形状状のリング状の凹部６Ａ、６Ａにしたり、三角形状のリング状の凹部６、６にしてもよい。
【産業上の利用可能性】
【００２１】
本発明は清涼飲料水、栄養補給ドリンク等の不正開封防止容器を製造する産業で利用される。
【図面の簡単な説明】
【００２２】
【図１】本発明を実施するための最良の第１の形態の正面図。
【図２】本発明を実施するための最良の第１の形態の要部拡大断面図。
【図３】本発明を実施するための最良の第１の形態の容器本体の要部説明図。
【図４】本発明を実施するための最良の第１の形態のキャップ本体の説明図。
【図５】本発明を実施するための最良の第１の形態の容器本体をキャップで密封する状態の説明図。
【図６】本発明を実施するための第２の形態の正面図。
【図７】本発明を実施するための第２の形態の要部拡大断面図。
【図８】本発明を実施するための第２の形態の容器本体の要部説明図。
【図９】本発明を実施するための第３の形態の正面図。
【図１０】本発明を実施するための第３の形態の要部拡大断面図。
【図１１】本発明を実施するための第３の形態の容器本体の要部説明図。
【図１２】本発明を実施するための第４の形態の正面図。
【図１３】本発明を実施するための第４の形態の要部拡大断面図。
【図１４】本発明を実施するための第４の形態の容器本体の要部説明図。
【符号の説明】
【００２３】
１、１Ａ、１Ｂ、１Ｃ：不正開封防止容器、
２：口部、                    ３：ねじ部、
４：ストッパーリング、                
５、５Ａ、５Ｂ、５Ｃ：容器本体、        
６、６Ａ：リング状の凹部、    ７：ねじ部、
８：キャップ本体、            ９：係止部、
１０：切断用のブリッチ、      １１：パッキング、
１２、１２Ａ、１２Ｂ、１２Ｃ：キャップ、
１３、１３Ａ：リング状の溝、  １４：切断縦溝。
【図１】
2010018329.tif 000003
【図２】
2010018329.tif 000004
【図３】
2010018329.tif 000005
【図４】
2010018329.tif 000006
【図５】
2010018329.tif 000007
【図６】
2010018329.tif 000008
【図７】
2010018329.tif 000009
【図８】
2010018329.tif 000010
【図９】
2010018329.tif 000011
【図１０】
2010018329.tif 000012
【図１１】
2010018329.tif 000013
【図１２】
2010018329.tif 000014
【図１３】
2010018329.tif 000015
【図１４】
2010018329.tif 000016